(57)【要約】【課題】成形型２１，２２を開いたときに、その合わせ面に結露が生じることを防止する。【解決手段】成形方法は、一対の成形型２１，２２の合わせ面２１ａ，２２ａ同士を密着させて閉じることにより、その内部にキャビティ２８を形成する工程、キャビティ２８内に溶融材料を充填する工程、少なくとも溶融材料をキャビティ２８内に充填しているときに、合わせ面２１ａ，２２ａの近傍を冷却する工程、溶融材料の充填後に冷却を停止する工程、及び、冷却の停止によって合わせ面近傍の温度が所定温度以上になった後に、一対の成形型２１，２２を開き、硬化した成形品を取り出す工程を含む。【選択図】図３
2008149578.tif 000002
【特許請求の範囲】
【請求項１】
一対の成形型の合わせ面同士を密着させて閉じることにより、その内部にキャビティを形成する工程、
前記キャビティ内に溶融材料を充填する工程、
少なくとも前記溶融材料をキャビティ内に充填しているときに、前記合わせ面の近傍を冷却する工程、
前記溶融材料の充填後に前記冷却を停止する工程、及び、
前記冷却の停止によって前記合わせ面近傍の温度が所定温度以上になった後に、前記一対の成形型を開き、硬化した成形品を取り出す工程、
を含む成形方法。
【請求項２】
請求項１に記載の成形方法において、
前記冷却の停止後でかつ前記一対の成形型を開く前に、前記合わせ面近傍の加熱を開始し、それによって、前記一対の成形型を開くときの前記合わせ面近傍の温度を、前記所定温度以上にする工程をさらに含む成形方法。
【請求項３】
請求項１又は２に記載の成形方法において、
前記材料は樹脂である成形方法。
【請求項４】
第１成形型、
前記第１成形型の合わせ面に密着される合わせ面を有しかつ、前記第１成形型と共にその内部にキャビティを形成する第２成形型、及び、
前記合わせ面近傍の温度を調節する温度制御手段を備え、
前記温度制御手段は、前記第１及び第２成形型の少なくとも一方の合わせ面付近に配設された流体通路及び、該流体通路内に冷却媒体を供給する冷却媒体供給手段を含みかつ、
少なくとも前記第１及び第２成形型を閉じて前記キャビティ内に溶融材料を充填するときには、前記冷却媒体供給手段によって前記流体通路内に冷却媒体を供給し、
前記溶融材料の充填後、前記第１及び第２成形型を開く前の期間において前記流体通路内への冷却媒体の供給を停止し、それによって前記第１及び第２成形型を開くときの前記合わせ面近傍の温度を所定温度以上にする成形型装置。
【請求項５】
請求項４に記載の成形型装置において、
前記温度制御手段は、少なくとも前記冷却媒体の供給停止後でかつ前記第１及び第２成形型を開く前の期間において、前記合わせ面近傍の加熱を開始する加熱手段をさらに含む成形型装置。
【発明の詳細な説明】
【技術分野】
【０００１】
本発明は、溶融材料を成形型のキャビティ内に充填して成形する成形方法及びその成形方法に用いる成形型装置に関する。
【背景技術】
【０００２】
従来より、射出成形等において成形品の外観品質を向上させるべく、例えば特許文献１には、合わせ面近傍を冷却することによって、バリの発生を防止する技術が開示されている。
【０００３】
すなわち、この特許文献に開示された成形方法は、溶融樹脂をキャビティ内に充填するときには、成形型の温度を高めて溶融樹脂の粘度を低下させ、それによってキャビティ表面の転写を良好にして外観品質を高めることを前提としている。しかしながら、この成形方法では、溶融樹脂の充填時やその充填後の保圧時に、樹脂の粘度が低いことに起因して、一対の成形型の合わせ面同士の隙間に樹脂が浸みだし、それによってバリが発生する虞がある。
【０００４】
そこで、前記特許文献に開示された成形方法では、充填時や保圧時に、その合わせ面近傍は冷却することによって、その合わせ面近傍の溶融樹脂の粘度を高め、それによって合わせ面同士の隙間に樹脂が浸みだすことを防止するようにしている。
【特許文献１】特開２００５−２０７３８６号公報
【発明の開示】
【発明が解決しようとする課題】
【０００５】
しかしながら、本発明者が検討した結果、前記従来の成形方法では、成形型を開いて合わせ面が外気に触れたときに、その合わせ面に結露が生じる場合があるということが判明した。これは、充填時や保圧時に合わせ面近傍を冷却することによって、成形型を開いたときの合わせ面の温度が低すぎる状態になっていることに起因している。
【０００６】
こうした結露が発生した場合には、次に成形型を閉じたときにキャビティ内に水分が入って成形品の品質を低下させたり、例えばその結露の発生する状態が長期間続いた場合には合わせ面に錆等が発生することで、成形型の合わせ不良に起因するバリの発生等を招いたりするという問題がある。
【０００７】
本発明は、かかる点に鑑みてなされたものであり、その目的とするところは、成形型を開いたときに、その合わせ面に結露が生じることを防止することにある。
【課題を解決するための手段】
【０００８】
本発明の一側面によると、成形方法は、一対の成形型の合わせ面同士を密着させて閉じることにより、その内部にキャビティを形成する工程、前記キャビティ内に溶融材料を充填する工程、少なくとも前記溶融材料をキャビティ内に充填しているときに、前記合わせ面の近傍を冷却する工程、前記溶融材料の充填後に前記冷却を停止する工程、及び、前記冷却の停止によって前記合わせ面近傍の温度が所定温度以上になった後に、前記一対の成形型を開き、硬化した成形品を取り出す工程、を含む。
【０００９】
この構成により、キャビティ内に溶融材料を充填しているときに、その合わせ面の近傍を冷却することによって、合わせ面近傍の溶融材料の粘度が高くなり、合わせ面同士の隙間に溶融材料が浸みだすことが防止される。つまり、成形品にバリが発生することが防止される。
【００１０】
そして、前記の構成では、溶融材料の充填後に前記の冷却を停止する。これによって、合わせ面近傍の温度は次第に上昇する。そうして、合わせ面近傍の温度が所定温度以上になった後に、一対の成形型を開き、硬化した成形品を取り出す。ここで、所定温度は、成形型を開いて合わせ面が外気に触れたときに、その合わせ面に結露が生じない温度として、雰囲気温度及び湿度等に応じて適宜設定すればよい。そうすることによって、成形型を開いたときに、その合わせ面に結露が生じることが防止される。
【００１１】
その結果、次に成形型を閉じたときにキャビティ内に水分が入って成形品の品質を低下させたり、合わせ面に錆等が発生することで、成形型の合わせ不良に起因するバリの発生等を招いたりすることが、防止される。
【００１２】
前記の成形方法は、前記冷却の停止後でかつ前記一対の成形型を開く前に、前記合わせ面近傍の加熱を開始し、それによって、前記一対の成形型を開くときの前記合わせ面近傍の温度を、前記所定温度以上にする工程をさらに含んでもよい。
【００１３】
こうすることで、冷却された合わせ面近傍の温度を確実に上昇させて、型開き時の結露の発生が確実に防止されると共に、合わせ面近傍の温度の上昇速度が高まるため、溶融材料の充填後、型開きまでの時間が短縮される。
【００１４】
前記材料は樹脂である、としてもよく、この場合、合わせ面の近傍の冷却によるバリの発生防止と、成形型の型開き時における合わせ面の結露の防止とが両立することによって、高品質の樹脂成形品が安定して得られるようになり、特に有効である。
【００１５】
本発明の他の側面によると、成形型装置は、第１成形型、前記第１成形型の合わせ面に密着される合わせ面を有しかつ、前記第１成形型と共にその内部にキャビティを形成する第２成形型、及び、前記合わせ面近傍の温度を調節する温度制御手段を備える。
【００１６】
そして、前記温度制御手段は、前記第１及び第２成形型の少なくとも一方の合わせ面付近に配設された流体通路及び、該流体通路内に冷却媒体を供給する冷却媒体供給手段を含みかつ、少なくとも前記第１及び第２成形型を閉じて前記キャビティ内に溶融材料を充填するときには、前記冷却媒体供給手段によって前記流体通路内に冷却媒体を供給し、前記溶融材料の充填後、前記第１及び第２成形型を開く前の期間において前記流体通路内への冷却媒体の供給を停止し、それによって前記第１及び第２成形型を開くときの前記合わせ面近傍の温度を所定温度以上にする。
【００１７】
この構成によると、第１及び第２成形型を閉じてキャビティ内に溶融材料を充填するときには、冷却媒体供給手段によって、第１及び第２成形型の少なくとも一方の合わせ面付近に配設された流体通路内に冷却媒体が供給される。このため、その合わせ面近傍が冷却されることになり、前述の通り、バリの発生が防止される。
【００１８】
また、溶融材料の充填後、第１及び第２成形型を開く前の期間において流体通路内への冷却媒体の供給が停止されることで合わせ面近傍の温度が次第に上昇する。そうして、合わせ面近傍の温度が所定温度以上となった後に、第１及び第２成形型を開くことで、合わせ面に結露が発生することが防止される。その結果、次に成形型を閉じたときにキャビティ内に水分が入って成形品の品質を低下させたり、合わせ面に錆等が発生することで、成形型の合わせ不良に起因するバリの発生等を招いたりすることが、防止される。
【００１９】
前記温度制御手段は、少なくとも前記冷却媒体の供給停止後でかつ前記第１及び第２成形型を開く前の期間において、前記合わせ面近傍の加熱を開始する加熱手段をさらに含む、としてもよい。
【００２０】
こうすることで、冷却された合わせ面近傍の温度が確実に上昇して、第１及び第２成形型を開いたときに、合わせ面に結露が発生することが確実に防止されると共に、合わせ面近傍の温度の上昇速度が高まるため、溶融材料の充填後、型開きまでの時間が短縮される。
【発明の効果】
【００２１】
以上説明したように、本発明によると、キャビティ内に溶融材料を充填しているときには、その合わせ面の近傍を冷却することによって、成形品にバリが発生することが防止される一方、溶融材料の充填後には前記の冷却を停止して、合わせ面近傍の温度を高めることによって、成形型を開いたときに、その合わせ面に結露が生じることを防止することができる。その結果、成形品の品質を高く保つことができると共に、錆の発生を防止して成形型の寿命の向上をも図ることができる。
【発明を実施するための最良の形態】
【００２２】
以下、本発明の実施形態を図面に基づいて説明する。尚、以下の好ましい実施形態の説明は、本質的に例示に過ぎず、本発明、その適用物或いはその用途を制限することを意図するものではない。
【００２３】
図１は、本発明の成形型装置２が適用された射出成形装置１の全体図を示しており、この射出成形装置１は、溶融樹脂を、後述するキャビティ２８内に充填させて硬化させることにより、例えば車両のバンパー等の樹脂成形品を製造するための装置である。
【００２４】
前記射出成形装置１は、前記成形型装置２と、成形型装置（金型）の温度を調節する金型温調機４と、溶融樹脂を射出する射出装置５と、を備えている。また、前記成形型装置２は、第１及び第２成形型としての、固定側金型２１及び可動側金型２２の２つの金型と、後述するように、各金型２１，２２の合わせ面２１ａ，２２ａ近傍の温度を調節する温度制御手段６と、を備えている。尚、前記固定側金型２１及び可動側金型２２は、分割されたスライド金型を含むものであってもよい。
【００２５】
固定側金型２１は、図１，２に示すように、起立した姿勢で配置されており、可動側金型２２が当接される当接側とは反対側の面に、前記射出装置５が取り付けられている。また固定側金型２１の内部には、前記当接側の面とその反対側の面との間を貫通するスプルー２３が形成されており、このスプルー２３は、射出装置５の射出孔に連通している。
【００２６】
可動側金型２２は、固定側金型２１に対して相対して、この固定側金型２１と同様に起立して配置されると共に、図２の（ｂ）に示す固定側金型２１に対して当接した状態（型閉じ状態）と、図２の（ａ）に示す固定側金型２１から離れた状態（型開き状態）との間で移動可能に配設されている。可動側金型２２における前記固定側金型２１に対して当接する側には、所望の成形品形状に対応する形状を有する凹部２４と、型閉じ状態において固定側金型２１のスプルー２３に連通するランナー２５と、前記凹部２４とランナー２５とを互いに連通するゲート２６と、が形成された金型本体２７が取り付けられている。この金型本体２７の表面は、可動側金型２２の表面よりも若干突出しており、これによって可動側金型２２と固定側金型２１とを型閉じ状態にしたときには、その金型本体２７の表面（つまり、合わせ面２２ａ）と固定側金型２１の表面（つまり、合わせ面２１ａ）とが互いに密着すると共に、前記凹部２４によってキャビティ２８が形成されることになる。そうして、前記射出装置５から射出された溶融樹脂は、スプルー２３、ランナー２５及びゲート２６の順に通ってキャビティ２８内に充填されることになる。
【００２７】
固定側金型２１及び可動側金型２２のそれぞれには、温調管２９が内蔵されており、各金型２１，２２の温調管２９は、その型閉じ状態においてキャビティ２８を挟んだ両側それぞれに位置するようになっている。この温調管２９は、金型温調機４に対して断熱ホース３０を介して接続されており、後述するように、射出成形時には、この金型温調機４から温調管２９内に媒体（例えば２５〜３０℃程度の温水）が常時供給（循環）されることによって、キャビティ２８の表面温度が一定温度（例えば４０℃程度）に保たれるようになっている。
【００２８】
また、固定側金型２１及び可動側金型２２のそれぞれには、その合わせ面２１ａ，２２ａにおける前記キャビティ２８の下方位置に、温度制御手段６を構成する要素の一つとしてのパート面温度制御用配管３１，３２が埋設されており、各金型２１，２２のパート面温度制御用配管３１，３２は、温度制御手段６を構成する要素の一つとしてのパート面温度制御回路７に接続されている。尚、パート面温度制御用配管３１，３２は、キャビティ２８の周囲を略取り囲むように埋設することが好ましい。
【００２９】
前記パート面温度制御回路７は、図１に示すように、冷却媒体供給源７１ａを含む冷却媒体循環回路７１と、加熱媒体供給源７２ａを含む加熱媒体循環回路７２と、冷却媒体又は加熱媒体を各金型２１，２２のパート面温度制御用配管３１，３２に供給する供給回路７３と、各金型２１，２２のパート面温度制御用配管３１，３２から冷却媒体又は加熱媒体を冷却媒体供給源７１ａ又は加熱媒体供給源７２ａに戻す戻し回路７４と、を含む。
【００３０】
冷却媒体循環回路７１は、所定温度の冷却媒体を吐出する冷却媒体供給源７１ａと、この冷却媒体供給源７１ａの上流側及び下流側のそれぞれに配設された上流側及び下流側３方弁７１ｂ，７１ｃを互いに連結する断熱管７１ｄと、を含んで構成された閉回路であって、冷却媒体供給源７１ａから吐出された冷却媒体は、上流側３方弁７１ｂ、断熱管７１ｄ、及び下流側３方弁７１ｃの順にこれらを通って、再び冷却媒体供給源７１ａに戻るように構成されている。
【００３１】
同様に、加熱媒体循環回路７２は、所定温度の加熱媒体を供給する加熱媒体供給源７２ａと、この加熱媒体供給源７２ａの上流側及び下流側のそれぞれに配設された上流側及び下流側３方弁７２ｂ，７２ｃを互いに連結する断熱管７２ｄと、を含んで構成された閉回路であって、加熱媒体供給源７２ａから吐出された加熱媒体は、上流側３方弁７２ｂ、断熱管７２ｄ、及び下流側３方弁７２ｃの順にこれらを通って、再び加熱媒体供給源７２ａに戻るように構成されている。
【００３２】
供給回路７３は、その上流側が分岐して、前記冷却媒体循環回路７１の上流側３方弁７１ｂ及び加熱媒体循環回路７２の上流側３方弁７２ｂにそれぞれ接続されると共に、その下流側が分岐して、固定側及び可動側金型２２のパート面温度制御用配管３１，３２にそれぞれ接続される断熱管からなる。一方、戻し回路７４は、その上流側が分岐して、固定側及び可動側金型２２のパート面温度制御用配管３１，３２にそれぞれ接続されると共に、その下流側が分岐して、前記冷却媒体循環回路７１の下流側３方弁７１ｃ及び加熱媒体循環回路７２の下流側３方弁７２ｃにそれぞれ接続される断熱管からなる。これによって、前記冷却媒体循環回路７１及び加熱媒体循環回路７２それぞれの上流側３方弁７１ｂ，７２ｂ及び下流側３方弁７１ｃ，７２ｃの切り換え操作によって、冷却媒体及び加熱媒体が選択的に固定側及び可動側金型２２のパート面温度制御用配管３１，３２に供給され、その後、冷却媒体供給源７１ａ及び加熱媒体供給源７２ａに戻るようになっている。
【００３３】
前記冷却媒体供給源７１ａ、加熱媒体供給源７２ａ、及び各３方弁７１ｂ，７１ｃ，７２ｂ，７２ｃはそれぞれ、制御装置８によって制御されており、この制御装置８による制御によって、冷却媒体及び加熱媒体が選択的に各金型２１，２２のパート面温度制御用配管３１，３２に供給され、それによって、合わせ面２１ａ，２２ａ近傍の冷却及び加熱が行われるようになっている。尚、冷却媒体又は加熱媒体が固定側及び可動側金型２１，２２のパート面温度制御用配管３１，３２に供給されている間、加熱媒体又は冷却媒体は、加熱媒体循環回路７２又は冷却媒体循環回路７１内を循環している。
【００３４】
ここで、冷却媒体及び加熱媒体について説明すると、冷却媒体は、各金型２１，２２の合わせ面２１ａ，２２ａ近傍を２５℃以下、例えば２３〜２４℃程度にするために、パート面温度制御用配管３１，３２に供給される媒体であり、その温度としては、例えば−３０℃程度とすることが好ましい。一方、加熱媒体は、各金型２１，２２の合わせ面２１ａ，２２ａ近傍を２５℃を超える温度、例えば２６〜２７℃程度にするために、パート面温度制御用配管３１，３２に供給される媒体であり、その温度としては、例えば４０℃程度とすることが好ましい。この冷却媒体及び加熱媒体としては、例えばフッ素系流体を採用することが可能であり、例えばパーフルオロポリエーテル（ＰＦＰＥ）が具体例として挙げられる。
【００３５】
次に、前記射出成形装置１による成形手順について、図３を参照しながら説明する。尚、図３は、前記射出成形装置１による成形手順と、前記温度制御手段６による温度制御の結果として変化する、合わせ面２１ａ，２２ａ近傍の温度変化を示す図である。
【００３６】
先ず、型開き状態から、可動側金型２２を移動させて型閉じ状態にする（型閉じ工程）。このときに金型温調機４は稼働状態にあり、各金型２１，２２の温調管２９には、２５〜３０℃程度の温水が供給されている。一方、各金型２１，２２のパート面温度制御用配管３１，３２には、制御装置８により、各３方弁７１ｂ，７１ｃ，７２ｂ，７２ｃが切り換え操作されて、冷却媒体循環回路７１から金型２１，２２に、供給回路７３を介して冷却媒体が供給されている。これによって、キャビティ２８表面温度は約４０℃に保たれている一方で、合わせ面２１ａ，２２ａ近傍の温度は次第に低下することになる。
【００３７】
金型２１，２２を型閉じ状態にすれば、射出装置５から溶融樹脂を射出して、キャビティ２８内に溶融樹脂を充填する（射出工程）。このときにも各金型２１，２２のパート面温度制御用配管３１，３２には、冷却媒体が供給されて続けており、これによって、合わせ面２１ａ，２２ａ近傍の温度はさらに低下することになる。
【００３８】
そうして、溶融樹脂の射出充填後に、キャビティ２８内の樹脂圧を保つ保圧を行う（保圧工程）。この保圧工程においては、キャビティ２８表面の温度が約４０℃に保たれ、それによって溶融樹脂の粘度が低下して、キャビティ２８表面の転写等が良好になる一方で、合わせ面２１ａ，２２ａ近傍の温度は２３〜２４℃程度にされることで、その合わせ面２１ａ，２２ａ近傍の溶融樹脂の粘度は高まり、合わせ面２１ａ，２２ａ同士の隙間に樹脂が浸みだすことが防止される。
【００３９】
また、この保圧工程の最中には、制御装置８によって冷却媒体循環回路７１の各３方弁７１ｂ，７１ｃの切り換え操作がなされ、それによって、パート面温度制御用配管３１，３２への冷却媒体の供給は停止される。これによって、合わせ面２１ａ，２２ａ近傍の温度は徐々に高まる。
【００４０】
前記の保圧工程の終了後は、成形された成形品の形状が安定するまで冷却する冷却工程（例えば１５〜３０秒程度）を行う。この冷却工程の開始時には、制御装置８によって、加熱媒体循環回路７２の各３方弁７２ｂ，７２ｃの切り換え操作がなされ、それによって、供給回路７３を介してパート面温度制御用配管３１，３２に加熱媒体の供給が開始される。これによって、合わせ面２１ａ，２２ａ近傍の温度はさらに高まる。
【００４１】
そうして、冷却工程の終了と共にパート面温度制御用配管３１，３２への加熱媒体の供給が停止され、その後、可動側金型２２を移動させて、金型２１，２２を型開き状態とする（型開き工程）。このときに、合わせ面２１ａ，２２ａ近傍の温度は例えば２６〜２７℃程度となっている。この温度は合わせ面２１ａ，２２ａが外気に触れたときに、その合わせ面２１ａ，２２ａに結露が生じない温度となっている（図３の破線参照）。
【００４２】
そうして型開き状態の金型２１，２２から成形品が脱型され（取出工程）、その後、次の成形のために、再び金型２１，２２が型閉じ状態とされると共に、制御装置８により、冷却媒体循環回路７１の各３方弁７１ｂ，７１ｃが切り換え操作されて、冷却媒体循環回路７１から供給回路７３を介して金型２１，２２に冷却媒体が再び供給される。
【００４３】
以上説明したように、本構成の成形型装置２を用いた成形方法によると、金型２１，２２の型閉じ時からキャビティ２８内に溶融樹脂を充填している間は、冷却媒体供給源７１ａからの冷却媒体をパート面温度制御用配管３１，３２に供給し、それによって、保圧工程時においては、両金型２１，２２の合わせ面２１ａ，２２ａの近傍の温度を低下させておくことによって、合わせ面２１ａ，２２ａ近傍の溶融樹脂の粘度を高くして、合わせ面２１ａ，２２ａ同士の隙間に樹脂が浸みだすことを防止することができる。その結果、樹脂成形品にバリが発生することが防止される。
【００４４】
一方、保圧工程後の冷却工程においては、加熱媒体供給源７２ａからの加熱媒体をパート面温度制御用配管３１，３２に供給し、それによって両金型２１，２２の合わせ面の近傍の温度を上昇させることによって、金型２１，２２の型開き時には、合わせ面２１ａ，２２ａ近傍の温度を結露が生じない温度にすることができ、その結果、金型２１，２２を開いたときに、その合わせ面２１ａ，２２ａに結露が生じることを防止することができる。これによって、次に金型２１，２２を閉じたときにキャビティ２８内に水分が入って成形品の品質を低下させたり、合わせ面２１ａ，２２ａに錆等が発生することで、金型２１，２２の合わせ不良に起因するバリの発生等を招いたりすることが、防止される。
【００４５】
そうして、転写等を良好にしつつバリの発生を防止して、成形品の品質を高く保つことができると共に、両金型２１，２２の合わせ面２１ａ，２２ａに錆が発生することが防止されて金型２１，２２の寿命の向上をも図ることができる。
【００４６】
尚、前記の構成では、各金型２１，２２に一つのパート面温度制御用配管３１，３２を埋設して、当該パート面温度制御用配管３１，３２に、冷却媒体と加熱媒体とを選択的に供給するようにしていたが、例えば図４に示すように、各金型２１，２２に冷却媒体用のパート面温度制御用配管９１と加熱媒体用のパート面温度制御用配管９２との２つの配管を埋設して、それぞれの配管９１，９２に対して選択的に冷却媒体と加熱媒体とを供給するようにしてもよい。尚、図４に示す冷却媒体用のパート面温度制御用配管９１と加熱媒体用のパート面温度制御用配管９２の配設位置は一例であり、２つの配管９１，９２の配設位置は適宜設定することが可能である。また、図４に示す構成に応じてパート面温度制御回路７は、その構成が適宜変更される。
【００４７】
また、前記の構成では、合わせ面２１ａ，２２ａ近傍を加熱するために、加熱媒体をパート面温度制御用配管３１，３２に供給するようにしていたが、例えば図５に示すように、各金型２１，２２にヒータ９３を埋設しておき、このヒータ９３によって合わせ面２１ａ，２２ａ近傍を加熱するようにしてもよい。尚、図５に示すヒータの９３の配設位置は一例であり、その配設位置は適宜設定することが可能である。また、図５に示す構成に応じてパート面温度制御回路７は、その構成が適宜変更される。
【００４８】
また、前記の構成では、固定側金型２１と可動側金型２２との双方の金型に、パート面温度制御用配管３１，３２を埋設していたが、例えば固定側金型２１と可動側金型２２とのいずれか一方の金型にのみ、パート面温度制御用配管３１，３２を埋設してもよい。また図４の構成においては、固定側金型２１と可動側金型２２とのいずれか一方の金型にのみ、冷却媒体用のパート面温度制御用配管９１及び加熱媒体用のパート面温度制御用配管９２を埋設してもよい。また、固定側金型２１と可動側金型２２とのいずれか一方には冷却媒体用のパート面温度制御用配管９１、他方には加熱媒体用のパート面温度制御用配管９２を埋設してもよい。この場合も、冷却媒体と加熱媒体とを選択的に金型２１，２２に供給することになる。こうした変形例は、図５に示すヒータ９３を備えた構成においても同様にとり得る。
【００４９】
さらに、図３に示す合わせ面２１ａ，２２ａ近傍の温度制御は一例であり、冷却媒体の供給開始タイミングは、少なくとも溶融樹脂をキャビティ２８内に充填しているときに合わせ面２１ａ，２２ａの近傍が冷却されるのであれば、適宜変更することが可能であり、また、冷却媒体の供給停止タイミングも適宜変更することが可能である。同様に、加熱媒体の供給開始タイミングは、一対の金型２１，２２を開くときの合わせ面２１ａ，２２ａ近傍の温度が所定温度以上になるのであれば、適宜変更することが可能であり、また、加熱媒体の供給停止タイミングも適宜変更することが可能である。
【００５０】
加えて、前記の構成では加熱媒体を金型２１，２２に供給して、合わせ面２１ａ，２２ａ近傍の加熱を行うようにしているが、温水の供給により金型温度が一定に保たれていることを利用して、例えば加熱媒体の供給を行わず、冷却媒体の供給を停止することだけで合わせ面２１ａ，２２ａ近傍の温度を上昇させ、結露を防止するようにしてもよい。また、パート面温度制御用配管３１，３２に加圧エアを供給する加圧エア供給手段を選択的に接続可能にしておいて、加熱媒体の供給と冷却媒体の供給とをそれぞれ停止すると共に、前記加圧エア供給手段によりパート面温度制御用配管３１，３２に加圧エアを供給してもよい。そうすることによって、その内部の冷却媒体を加圧エアにより押し出して、合わせ面２１ａ，２２ａ近傍の温度を上昇させて、結露を防止するようにしてもよい。
【００５１】
但し、合わせ面２１ａ，２２ａ近傍の加熱を行った場合は、合わせ面２１ａ，２２ａ近傍の温度を確実に上昇させて、型開き時の結露の発生を確実に防止することができると共に、合わせ面２１ａ，２２ａ近傍の温度の上昇速度が高まるため、溶融樹脂の充填後、型開きまでの時間を短縮することができる点で有利である。
【００５２】
また、本発明は、樹脂材料の射出成形に限らず、溶融材料をキャビティ内に充填して成形を行う成形方法及び成形型装置に広く適用することが可能である。
【産業上の利用可能性】
【００５３】
以上説明したように、本発明は、成形型の型開き時に、その合わせ面に結露が生じることを防止して、成形品の品質を高く保つことができると共に、合わせ面に錆が発生することを防止して成形型の寿命の向上をも図ることができるため、溶融材料をキャビティ内に充填して成形する成形方法及びそれに用いる成形型装置として有用である。
【図面の簡単な説明】
【００５４】
【図１】本発明の成形型装置が適用された射出成形装置の全体を示した概略構成図である。
【図２】成形型装置の断面図である。
【図３】合わせ面の温度変化を示す図である。
【図４】他の実施形態に係る成形型装置の断面図である。
【図５】さらに別の実施形態に係る成形型装置の断面図である。
【符号の説明】
【００５５】
２    成形型装置
２１  固定側金型（第１成形型）
２１ａ，２２ａ  合わせ面
２２  可動側金型（第２成形型）
２８  キャビティ
３１，３２  パート面温度制御用配管（流体通路、加熱手段）
６  温度制御手段
７  パート面温度制御回路（冷却媒体供給手段、加熱手段）
７１  冷却媒体循環回路（冷却媒体供給手段）
７１ａ  冷却媒体供給源（冷却媒体供給手段）
７２  加熱媒体循環回路（加熱手段）
７２ａ  加熱媒体供給源（加熱手段）
７３  供給回路（冷却媒体供給手段、加熱手段）
７４  戻し回路（冷却媒体供給手段、加熱手段）
９１  冷却媒体用のパート面温度制御用配管（流体通路）
９２  加熱媒体用のパート面温度制御用配管（加熱手段）
９３  ヒータ（加熱手段）
【図１】
2008149578.tif 000003
【図２】
2008149578.tif 000004
【図３】
2008149578.tif 000005
【図４】
2008149578.tif 000006
【図５】
2008149578.tif 000007